(57)【特許請求の範囲】
【請求項１】
端子が設けられた静電噴霧カプセルと、
高電圧発生器と、
前記静電噴霧カプセルが着脱される静電噴霧カプセルホルダーと、
前記静電噴霧カプセルホルダーに装着され、前記高電圧発生器と連結され、前記静電噴霧カプセルの装着時に一部が弾性変形しながら前記端子と接触する通電機構と、
を備え、
前記通電機構は、
前記高電圧発生器が連結された連結端子と、
前記静電噴霧カプセルの装着時に前記端子と接触する接触部材と、
前記接触部材を前記端子の方向に弾持する弾性部材とを備え、
前記静電噴霧カプセルホルダーに設けられたバネと、前記バネに支持され、前記静電噴霧カプセルの装着時に前記静電噴霧カプセルと接触するボールとを有する弾性ホルダーをさらに備える、静電噴霧モジュール。
【請求項２】
前記連結端子は、前記弾性部材と連結されている、請求項１に記載の静電噴霧モジュール。
【請求項３】
前記接触部材は、前記静電噴霧カプセルの装着時に前記連結端子と接触する、請求項１に記載の静電噴霧モジュール。
【請求項４】
前記端子は、
一部が前記静電噴霧カプセルの外部に露出される接地端子と、
一部が前記静電噴霧カプセルの外部に露出される高電圧印加端子とを備え、
前記通電機構は、
前記接地端子と通電する接地端子通電機構と、
前記高電圧印加端子と通電する高電圧印加端子通電機構とを備える、請求項１に記載の静電噴霧モジュール。
【請求項５】
前記静電噴霧カプセルホルダーに設けられたバネと、前記バネに支持され、前記静電噴霧カプセルの装着時に前記静電噴霧カプセルと接触するボールとを有する弾性ホルダーをさらに備え、
前記接地端子通電機構の接触部材と高電圧印加端子通電機構の接触部材のうち一つは、前記ボールと向かい合うように配置されている、請求項４に記載の静電噴霧モジュール。
【請求項６】
接地端子の一部と高電圧印加端子の一部がそれぞれ外部に露出されるように設置された静電噴霧カプセルと、
高電圧発生器と、
前記静電噴霧カプセルが着脱される静電噴霧カプセルホルダーと、
前記静電噴霧カプセルホルダーに装着され、前記高電圧発生器と連結され、前記静電噴霧カプセルの装着時に一部が弾性変形しながら前記接地端子と接触する接地端子通電機構と、
前記静電噴霧カプセルホルダーに装着され、前記高電圧発生器と連結され、前記静電噴霧カプセルの装着時に一部が弾性変形しながら前記高電圧印加端子と接触する高電圧印加端子通電機構と、
を備え、
前記接地端子通電機構と前記高電圧印加端子通電機構の少なくとも一つは、
前記高電圧発生器が連結された連結端子と、
前記静電噴霧カプセルの装着時に前記静電噴霧カプセルと接触する接触部材と、
前記接触部材を前記静電噴霧カプセルの方向に弾持する弾性部材とを備え、
前記静電噴霧カプセルホルダーに設けられたバネと、前記バネに支持され、前記静電噴霧カプセルの装着時に前記静電噴霧カプセルと接触するボールとを有する弾性ホルダーをさらに備える、静電噴霧モジュール。
【請求項７】
前記接地端子通電機構は、
前記高電圧発生器が連結された連結端子と、
前記静電噴霧カプセルの装着時に前記接地端子と接触する接触部材と、
前記接触部材を前記静電噴霧カプセルの方向に弾持する弾性部材とを備える、請求項６に記載の静電噴霧モジュール。
【請求項８】
前記高電圧印加端子通電機構は、
前記高電圧発生器が連結された連結端子と、
前記静電噴霧カプセルの装着時に前記高電圧印加端子と接触する接触部材と、
前記接触部材を前記静電噴霧カプセルの方向に弾持する弾性部材とを備える、請求項６に記載の静電噴霧モジュール。
【請求項９】
前記ボールは、前記接地端子通電機構と高電圧印加端子通電機構のうちの一つと向かい合うように配置されている、請求項６に記載の静電噴霧モジュール。
【請求項１０】
空気吸入部と空気吐出部が形成され、前記空気吸入部と空気吐出部との間に送風流路が形成された本体と、
前記送風流路に設置された熱交換器と、
空気を空気吸入部から吸入して前記熱交換器を通過させた後、前記空気吐出部に吐き出す送風器と、
前記本体に設置された静電噴霧モジュールと、
を備え、
前記静電噴霧モジュールは
端子が設けられた静電噴霧カプセルと、
高電圧発生器と、
前記静電噴霧カプセルが着脱される静電噴霧カプセルホルダーと、
前記静電噴霧カプセルホルダーに装着され、前記高電圧発生器と連結され、前記静電噴霧カプセルの装着時に一部が弾性変形しながら前記端子と接触する通電機構とを備える、静電噴霧モジュールを有し、
前記通電機構は、
前記高電圧発生器が連結された連結端子と、
前記静電噴霧カプセルの装着時に前記端子と接触する接触部材と、
前記接触部材を前記端子の方向に弾持する弾性部材とを備え、
前記静電噴霧カプセルホルダーに設けられたバネと、前記バネに支持され、前記静電噴霧カプセルの装着時に前記静電噴霧カプセルと接触するボールとを有する弾性ホルダーをさらに備える、空気調和機。
【請求項１１】
前記通電機構は、
前記高電圧発生器が連結された連結端子と、
前記静電噴霧カプセルの装着時に前記端子と接触する接触部材と、
前記接触部材を前記端子の方向に弾持する弾性部材とを備える、請求項１０に記載の静電噴霧モジュールを有する空気調和機。
【請求項１２】
前記静電噴霧モジュールは、前記静電噴霧カプセルホルダーが形成されており、一側に前記静電噴霧カプセルが出入りする出入口が形成されたハウジングを備える、請求項１０に記載の静電噴霧モジュールを有する空気調和機。
【請求項１３】
前記高電圧発生器が前記ハウジングの内部に設置されている、請求項１２に記載の静電噴霧モジュールを有する空気調和機。
【請求項１４】
前記空気吐出部は、室内に空気を吐き出す空気吐出空間が開放された吐出ボディーを有し、
前記吐出ボディーは、前記静電噴霧モジュールが収容されるモジュール収容部が形成され、
前記静電噴霧モジュールは、前記空気吐出空間に機能性物質を噴霧する、請求項１０に記載の静電噴霧モジュールを有する空気調和機。
【発明の詳細な説明】
【技術分野】
【０００１】
本発明は、静電噴霧モジュール及びそれを有する空気調和機に関し、特に、静電噴霧カプセルが着脱される静電噴霧カプセルホルダーを備えた静電噴霧モジュール及びそれを有する空気調和機に関する。
【背景技術】
【０００２】
一般に、静電噴霧装置は、液体を噴化させ得る噴化装置であり、電極と帯電電極に高電圧を印加して液体を噴化させる装置である。
【０００３】
静電噴霧装置は、液体が収容される容器と、容器から液体を吸い込む電極と、電極と電位差を発生させるための接地電極と、電極と接地電極との間に高電圧を印加する高電圧電源と、を備えることができる。
【０００４】
静電噴霧装置は、液体が毛細管現象によって電極に吸い込まれ、高電圧電源から高電圧が印加されると、液体の表面張力に比べてより高い電気力が生成され、電極と接地電極との電位差によって液体の液滴が微粒化され、ミスト（Ｍｉｓｔ）として液体を噴霧することができる。
【発明の概要】
【発明が解決しようとする課題】
【０００５】
本発明は、静電噴霧カプセルを便利にサービスすることができる静電噴霧モジュール及びそれを有する空気調和機を提供することに目的がある。
【課題を解決するための手段】
【０００６】
本発明は、端子が設けられた静電噴霧カプセルと、高電圧発生器と、前記静電噴霧カプセルが着脱される静電噴霧カプセルホルダーと、前記静電噴霧カプセルホルダーに装着され、前記高電圧発生器と連結され、前記静電噴霧カプセルの装着時に一部が弾性変形しながら前記端子と接触する通電機構とを備える。
【０００７】
前記通電機構は、前記高電圧発生器が連結された連結端子と、前記静電噴霧カプセルの装着時に前記端子と接触する接触部材と、前記接触部材を前記端子の方向に弾持する弾性部材とを備えることができる。
【０００８】
前記連結端子は前記弾性部材と連結されてもよい。
【０００９】
前記接触部材は前記静電噴霧カプセルの装着時に前記連結端子と接触してもよい。
【００１０】
本発明は、前記静電噴霧カプセルホルダーに設けられたバネと、前記バネに支持され、前記静電噴霧カプセルの装着時に前記静電噴霧カプセルと接触するボールとを有する弾性ホルダーをさらに備えることができる。
【００１１】
前記端子は、一部が前記静電噴霧カプセルの外部に露出される接地端子と、一部が前記静電噴霧カプセルの外部に露出される高電圧印加端子とを備えることができる。前記通電機構は、前記接地端子と通電する接地端子通電機構と、前記高電圧印加端子と通電する高電圧印加端子通電機構とを備えることができる。
【００１２】
本発明は、前記静電噴霧カプセルホルダーに設けられたバネと、前記バネに支持され、前記静電噴霧カプセルの装着時に前記静電噴霧カプセルと接触するボールとを有する弾性ホルダーをさらに備えてもよく、前記接地端子通電機構の接触部材と高電圧印加端子通電機構の接触部材のうち一つは、前記ボールと向かい合うように配置されてもよい。
【００１３】
本発明は、接地端子の一部と高電圧印加端子の一部がそれぞれ外部に露出されるように設置された静電噴霧カプセルと、高電圧発生器と、前記静電噴霧カプセルが着脱される静電噴霧カプセルホルダーと、前記静電噴霧カプセルホルダーに装着され、前記高電圧発生器と連結され、前記静電噴霧カプセルの装着時に一部が弾性変形しながら前記接地端子と接触する接地端子通電機構と、前記静電噴霧カプセルホルダーに装着され、前記高電圧発生器と連結され、前記静電噴霧カプセルの装着時に一部が弾性変形しながら前記高電圧印加端子と接触する高電圧印加端子通電機構と、を備える。
【００１４】
前記接地端子通電機構は、前記高電圧発生器が連結された連結端子と、前記静電噴霧カプセルの装着時に前記接地端子と接触する接触部材と、前記接触部材を前記静電噴霧カプセルの方向に弾持する弾性部材とを備えることができる。
【００１５】
前記高電圧印加端子通電機構は、前記高電圧発生器が連結された連結端子と、前記静電噴霧カプセルの装着時に前記高電圧印加端子と接触する接触部材と、前記接触部材を前記静電噴霧カプセルの方向に弾持する弾性部材とを備えることができる。
【００１６】
本発明は、前記静電噴霧カプセルホルダーに設けられたバネと、前記バネに支持され、前記静電噴霧カプセルの装着時に前記静電噴霧カプセルと接触するボールとを有する弾性ホルダーをさらに備えることができる。
【００１７】
前記ボールは前記接地端子通電機構と高電圧印加端子通電機構のうち一つと向かい合うように配置されてもよい。
【００１８】
本発明は、空気吸入部と空気吐出部が形成され、前記空気吸入部と空気吐出部との間に送風流路が形成された本体と、前記送風流路に設置された熱交換器と、空気を空気吸入部から吸入して前記熱交換器を通過させた後、前記空気吐出部に吐き出す送風器と、前記本体に設置された静電噴霧モジュールとを備え、前記静電噴霧モジュールは、端子が設けられた静電噴霧カプセルと、高電圧発生器と、前記静電噴霧カプセルが着脱される静電噴霧カプセルホルダーと、前記静電噴霧カプセルホルダーに装着され、前記高電圧発生器と連結され、前記静電噴霧カプセルの装着時に一部が弾性変形しながら前記端子と接触する通電機構とを備える。
【００１９】
前記通電機構は、前記高電圧発生器が連結された連結端子と、前記静電噴霧カプセルの装着時に前記端子と接触する接触部材と、前記接触部材を前記端子の方向に弾持する弾性部材とを備えることができる。
【００２０】
前記静電噴霧モジュールは、前記静電噴霧カプセルホルダーが形成され、一側に前記静電噴霧カプセルが出入りする出入口が形成されたハウジングを備えることができる。
【００２１】
前記高電圧発生器は前記ハウジングの内部に設置されてもよい。
【００２２】
前記空気吐出部は、室内に空気を吐き出す空気吐出空間が開放された吐出ボディーを備えることができる。前記吐出ボディーは、前記静電噴霧モジュールが収容されるモジュール収容部が形成されてもよい。前記静電噴霧モジュールは、前記空気吐出空間に機能性物質を噴霧することができる。
【００２３】
本発明は、前記静電噴霧カプセルホルダーに設けられたバネと、前記バネに支持され、前記静電噴霧カプセルの装着時に前記静電噴霧カプセルと接触するボールとを有する弾性ホルダーをさらに備えることができる。
【発明の効果】
【００２４】
本発明は、静電噴霧カプセルを確実に装着することができ、静電噴霧カプセルのサービス作業を便利に行うことができるという利点がある。
【００２５】
また、静電噴霧カプセルの装着時に静電噴霧カプセルが通電機構に弾性的に支持されながら通電機構と接触するので、静電噴霧カプセルの着脱作業が容易であるという利点がある。
【００２６】
また、空気調和機を分解せずに、静電噴霧カプセルを便利に着脱することができるという利点がある。
【図面の簡単な説明】
【００２７】
【図１】本発明に係る静電噴霧モジュールの一実施例を示す斜視図である。
【図２】本発明に係る静電噴霧モジュールの一実施例の静電噴霧カプセルが外部に分離された様子を示す斜視図である。
【図３】図２に示した静電噴霧カプセルの接地端子を示す断面図である。
【図４】図２に示した静電噴霧カプセルの電圧印加端子を示す断面図である。
【図５】本発明に係る静電噴霧モジュールの一実施例の静電噴霧カプセルホルダーを示す斜視図である。
【図６】本発明に係る静電噴霧モジュールの一実施例の接地端子が静電噴霧カプセルホルダーの通電機構に接触する様子を示す断面図である。
【図７】図６に示した静電噴霧カプセルが静電噴霧カプセルホルダーから分離された様子を示す断面図である。
【図８】本発明に係る静電噴霧モジュールの一実施例において高電圧印加端子が静電噴霧カプセルホルダーの通電機構に接触する様子を示す断面図である。
【図９】図８に示した静電噴霧カプセルが静電噴霧カプセルホルダーから分離された様子を示す断面図である。
【図１０】本発明に係る静電噴霧モジュールが設置された空気調和機の一実施例を示す正面図である。
【図１１】本発明に係る静電噴霧モジュールが設置された空気調和機の一実施例を示す断面図である。
【図１２】本発明に係る静電噴霧モジュールが設置された空気調和機の一実施例から静電噴霧カプセルを分離した様子を示す断面図である。
【発明を実施するための形態】
【００２８】
以下、本発明の実施例を添付の図面を参照しつつ詳しく説明する。
【００２９】
図１は、本発明に係る静電噴霧モジュールの一実施例を示す斜視図であり、図２は、本発明に係る静電噴霧モジュールの一実施例における静電噴霧カプセルが外部に分離されたときの斜視図であり、図３は、図２に示した静電噴霧カプセルの接地端子を示す断面図であり、図４は、図２に示した静電噴霧カプセルの電圧印加端子を示す断面図である。
【００３０】
静電噴霧モジュール２は、静電噴霧カプセル４、静電噴霧カプセルホルダー６、及び高電圧発生器８を備えている。
【００３１】
静電噴霧カプセル４は、容器４２の内部に機能性物質Ａを収容することができ、外部から高電圧が印加されると、機能性物質Ａを微粒化して外部に噴霧することができる。静電噴霧カプセル４は、機能性物質Ａに流体を荷電させて電位差を形成することによって機能性物質Ａを噴霧する装置である。ここで、機能性物質Ａは、ローズマイルアロマオイル、ペパーミントアロマオイル、レモンアロマオイル、バージルアロマオイルなどのアロマオイルであってもよい。機能性物質Ａを液体状態で容器４２に入れ、高電圧印加によって発生した電気力によって液滴を微粒化して噴霧することができる。静電噴霧カプセル４は、機能性物質Ａが収容される容器４２と、容器４２に配置され、機能性物質Ａが毛細管現象によって上昇する多孔性電極４４とを備えている。静電噴霧カプセル４には端子が設けられている。端子は、多孔性電極４４と電位差を発生する接地端子４６と、高電圧発生器８で発生した高電圧を機能性物質Ａに印加する高電圧印加端子４８とを有している。
【００３２】
容器４２には、多孔性電極４４を支持する電極サポーター５１が設けられている。容器４２には、接地端子４６が貫通する接地端子貫通孔５２が形成されている。容器４２には、高電圧印加端子４８が貫通する高電圧印加端子貫通孔５３が形成されている。容器２には、その内部で発生したミストＭが排出される排出孔５４が形成されている。
【００３３】
容器４２は、上面が開放され、内部に機能性物質Ａが収容される空間が形成されたボディー５５と、ボディー５５の上面を覆う蓋５６とを備えている。ボディー５５は、中空筒５７と、中空筒５７の下部を閉鎖する下板５８とを備えている。容器４２は、ボディー５５に電極サポーター５１、接地端子貫通孔５２、及び高電圧印加端子貫通孔５３が形成されており、蓋５６には排出孔５４が形成されている。
【００３４】
電極サポーター５１は、多孔性電極４４の下部を支持するように容器４２に設けられている。電極サポーター５１は容器４２の内部に位置するように容器４２から一体に突出されてもよい。電極サポーター５１はボディー５５に形成されている。電極サポーター５１は、下板５８の上面に上方に突出するように形成されている。電極サポーター５１は、複数個が離隔して形成されてもよい。電極サポーター５１は、複数個が多孔性電極４４の外周の一部を取り囲むように配置されてもよい。機能性物質Ａは複数個の電極サポーター５１間の空間を通って多孔性電極４４へ流動することができる。
【００３５】
接地端子貫通孔５２は中空筒５７に形成されており、高電圧印加端子貫通孔５３と離隔した位置に形成されている。接地端子貫通孔５２は中空筒５７に少なくとも一つ形成されればよく、２つが向かい合って形成されてもよい。
【００３６】
高電圧印加端子貫通孔５３は中空筒５７に形成されている。高電圧印加端子貫通孔５３と接地端子貫通孔５２は中空筒５７において異なる高さに形成されている。下板５８から高電圧印加端子貫通孔５３までの高さが下板５８から接地端子貫通孔５２までの高さよりも低くなっている。
【００３７】
排出孔５４は、上部の開口面積が下部の開口面積よりも大きく形成されている。排出孔５４は、上部に向かって面積が次第に拡張されるように形成されてもよい。排出孔５４は漏斗状に形成されてもよい。排出孔１４は、外部から機能性物質Ａが流入する時、機能性物質Ａが容器４２中に流入しやすくなるように助けることができる。蓋５６は、下面が開放されたシリンダー状に形成されている。排出孔５４は、蓋５６に形成されており、蓋５６において多孔性電極４４の上側に対応する位置に形成されている。排出孔５４は、蓋５６でボディー５５の上面を覆ったとき、接地端子４６のうち容器４２内に位置する部分が排出孔５４から見えない大きさに形成することができる。
【００３８】
多孔性電極４４は、容器４２の内部に収容されるように設けられている。多孔性電極４４は、下部が容器４２に固定されており、上部が接地端子４６に近接するように配置されている。静電噴霧装置は、多孔性電極４４と接地端子４６との間で発生した電位差によって噴霧が実現され、多孔性電極４４は、ポリエステル、アクリル、炭素ファイバなどの不導体材質から構成することができる。容器４２中の液状の機能性物質Ａは毛細管現象によって多孔性電極４４の上部に移動することができる。静電噴霧は様々な噴霧モードを有するが、コーン形状を有するコーンジェットモードの噴霧が最も安定的である。一方、機能性物質Ａが無極性流体である場合には、低い電気伝導度によってコーンジェット（ｃｏｎｅ−ｊｅｔ）の形成が難しいため、人為的に上端をコーン状（Ｃｏｎｅ  ｔｙｐｅ）に製作し、無極性流体の安定した噴霧を誘導してもよい。多孔性電極４は、上下方向に長い針状に形成されており、多孔性電極４４の上部はコーン状に尖るように形成されている。すなわち、多孔性電極４４は、尖っている上端を有することができる。多孔性電極４４は、高電圧が印加された時、尖っている上端から強い電場を発現することができ、この時に発生した単極電荷は機能性物質Ａ内に浸透して単極荷電を容易にすることができる。
【００３９】
接地端子４６は、一部が静電噴霧カプセル４の外部に露出されるように設けられている。接地端子４６は、図３に示すように、容器４２の内部に配置されるインナー端子部４６Ａと、容器４２を貫通する容器貫通部４６Ｂと、容器４２の外部に配置されるアウター端子部４６Ｃとを備えることができる。接地端子４６は、アウター端子部４６Ｃが容器４２の上部外側に、外部に露出されるように位置している。
【００４０】
高電圧印加端子４８は、一部が静電噴霧カプセル４の外部に露出されるように設けられている。高電圧印加端子４８は、図４に示すように、容器２の内部に配置されるインナー端子部４８Ａと、容器を貫通する容器貫通部４８Ｂと、容器４２の外部に配置されるアウター端子部４８Ｃとを備えている。高電圧印加端子４８は、アウター端子部４８Ｃが容器４２の下部外側に、外部に露出されるように位置している。
【００４１】
静電噴霧カプセル４は静電噴霧カプセルホルダー６に装着されている。静電噴霧カプセル４は静電噴霧カプセルホルダー６に着脱可能に装着されてもよい。静電噴霧カプセル４は静電噴霧カプセルホルダー６に装着された状態で外部にミストＭを噴霧することができる。静電噴霧カプセル４は、静電噴霧カプセルホルダー６に装着された時、通電機構と接触し、通電機構を介して高電圧発生器８と電気的に連結される構造となっている。静電噴霧カプセルホルダー６は、静電噴霧カプセル４の装着時に通電機構と静電噴霧カプセル４との接触性が重要であり、通電機構は静電噴霧カプセル４の着脱を容易にさせる構造であるとともに、静電噴霧カプセル４との接触性を確保し得る構造とすることが好ましい。通電機構の詳細については後述する。
【００４２】
静電噴霧カプセルホルダー６は、前、後、左、右の４面のうち、向かい合う２面は閉じており、残り２面のうち少なくとも一面に開口部が形成される構造とすることができる。静電噴霧カプセルホルダー６は、左側面と右側面が閉じており、静電噴霧カプセルホルダー６の前面と静電噴霧カプセルホルダー６の背面のそれぞれに開口部が形成されている構造とすることができる。逆に、静電噴霧カプセルホルダー６は、前面と背面が閉じており、静電噴霧カプセルホルダー６の左側面と静電噴霧カプセルホルダー６の右側面にそれぞれに開口部が形成されていてもよい。ユーザ又は作業者（以下、ユーザという。）は、静電噴霧カプセル４の着脱時に開口部から指を入れ、静電噴霧カプセル４を静電噴霧カプセルホルダー６に容易に着脱させることができる。
【００４３】
高電圧発生器８は通電機構とリードワイヤーで接続させることができる。通電機構は静電噴霧カプセルホルダー６に装着され、高電圧発生器８と接続されてもよい。通電機構は、静電噴霧カプセル４の装着時に、静電噴霧カプセル４に設けられた端子と接触することができる。高電圧発生器８は、安定した噴霧のために、約６〜８ｋｖの高電圧を発生して通電機構に印加することが好ましい。
【００４４】
静電噴霧モジュール２は、静電噴霧モジュール２の外観を形成するハウジング１０を備えている。ハウジング１０には、静電噴霧カプセル４が出入りする出入口１０２が形成されている。出入口１０２は、静電噴霧カプセル４が静電噴霧カプセルホルダー６に装着されたとき、静電噴霧カプセル４の排出孔５４の上側に位置するように形成されている。静電噴霧カプセルホルダー６と高電圧発生器８はハウジング１０の内部に設けられている。ハウジング１０は、静電噴霧カプセルホルダー６とは別個に構成されて静電噴霧カプセルホルダー６に結合されてもよく、静電噴霧カプセルホルダー６と一体に形成されてもよい。静電噴霧カプセル４は、出入口１０２を通過して静電噴霧カプセルホルダー６に装着され、出入口１０２を通過してハウジング１０の外部に取り出される。出入口１０２は、静電噴霧カプセル４がハウジング１０を出入りする静電噴霧カプセル通路の機能を有することもでき、静電噴霧カプセル４から噴霧されたミストＭが静電噴霧モジュール２の外部に流出されるミスト出口の機能を有することもできる。
【００４５】
ハウジング１０は、静電噴霧カプセルホルダー６を保護するアッパーハウジング１０４と、高電圧発生器８を保護するローアーハウジング１０６とを備えている。
【００４６】
アッパーハウジング１０４は、静電噴霧カプセルホルダー６よりも大きく形成されている。アッパーハウジング１０４は、上板１０５に出入口１０２が形成されている。アッパーハウジング１０４は、ローアーハウジング１０６の上側に位置するようにローアーハウジング１０６に設置されている。アッパーハウジング１０４はローアーハウジング１０６にフックなどの係止手段で結合されたり、スクリューなどの締付け部材で結合されている。出入口１０２は、アッパーハウジング１０４の上板１２３に上下方向に開口するように形成されている。出入口１０２は、面積が静電噴霧カプセルホルダー６に比べて小さく、静電噴霧カプセル４に比べては大きく形成されている。静電噴霧カプセル４を出入口１０２の上側から出入口１０２を通して静電噴霧カプセルホルダー６に挿入して静電噴霧カプセルホルダー６に着座させることができる。静電噴霧カプセルホルダー６がハウジング１０に一体形成される場合、静電噴霧カプセルホルダー６はアッパーハウジング１０４に一体に形成されてもよい。
【００４７】
ローアーハウジング１０６は、高電圧発生器１４０よりも大きく形成されている。ハウジング１０は、その内部を上下に区画する区画板１０８をさらに備えている。静電噴霧カプセルホルダー６は区画板１０８上に配置されており、高電圧発生器１４０は区画板１０８の下に配置されている。
【００４８】
図５は、本発明に係る静電噴霧モジュールの一実施例における静電噴霧カプセルホルダーを示す斜視図であり、図６は、本発明に係る静電噴霧モジュールの一実施例において接地端子が静電噴霧カプセルホルダーの通電機構に接触するときの断面図であり、図７は、図６に示した静電噴霧カプセルが静電噴霧カプセルホルダーから分離されたときの断面図であり、図８は、本発明に係る静電噴霧モジュールの一実施例において高電圧印加端子が静電噴霧カプセルホルダーの通電機構に接触するときの断面図であり、図９は、図８に示した静電噴霧カプセルが静電噴霧カプセルホルダーから分離されたときの断面図である。
【００４９】
通電機構１２，１４は、静電噴霧カプセルホルダー６に装着され、高電圧発生器８に連結される。通電機構１２，１４は、静電噴霧カプセル４の装着時に一部が弾性変形しながら端子４６，４８と接触することができる。
【００５０】
通電機構１２，１４は、高電圧発生器８が連結された連結端子１２２，１４２、静電噴霧カプセル４の装着時に端子４６，４８と接触する接触部材１２４，１４４、及び接触部材１２４，１４４と接触し、接触部材１２４，１４４を端子４６，４８の方向に弾持する弾性部材１２６，１４６を備えている。
【００５１】
通電機構１２，１４は、連結端子１２２，１４２が弾性部材１２６，１４６と連結された状態を維持し、弾性部材１２６，１４６が接触部材１２４，１４４と連結端子１２２，１４２とを電気的に連結させることが可能である。
【００５２】
通電機構１２，１４は、静電噴霧カプセル４の装着時に接触部材１２４，１４４が連結端子１２２，１４２と接触することができる。通電機構１２，１４は、静電噴霧カプセル４装着時に、接触部材１２４，１４４が静電噴霧カプセル４によって連結端子１２２，１４２の方向に押される。この時、接触部材１２４，１４４と連結端子１２２，１４２とが直接接触することができる。接触部材１２４，１４４は、静電噴霧カプセル４の分離時に、弾性部材１２６，１４６によって連結端子１２２，１４２の反対方向に押され、この時、接触部材１２４，１４４と連結端子１２２，１４２とが非接触することができる。
【００５３】
通電機構１２，１４は、接地端子４６と通電する接地端子通電機構１２と、高電圧印加端子４８と通電する高電圧印加端子通電機構１４とを備えることができる。
【００５４】
以下、接地端子通電機構１２と高電圧印加端子通電機構１４とを区別して説明する場合には、接地端子通電機構１２と高電圧印加端子通電機構１４とそれぞれ称して説明し、接地端子通電機構１２及び高電圧印加端子通電機構１４の共通した構成に関する説明では通電機構１２，１４と総称して説明する。
【００５５】
通電機構１２，１４は、静電噴霧カプセル４の装着時に弾性的に変形されるとともに静電噴霧カプセル４の端子と接触し、静電噴霧カプセル４を弾性的に支持することができる。静電噴霧カプセル４は、通電機構１２，１４と接触した状態で通電機構１２，１４から加えられる力によって固定され、任意の脱去が制限された状態で静電噴霧カプセルホルダー６に確実に固定されてもよい。
【００５６】
通電機構１２，１４は、接地端子通電機構１２、高電圧印加端子通電機構１４両方とも弾性通電機構から構成されてもよく、いずれか一方は弾性通電機構から構成され、他方は非弾性通電機構から構成されてもよい。ここで、弾性通電機構は、少なくとも一部が弾性的に変形する通電機構を意味し、非弾性通電機構は、その全部が弾性的に変形されない通電機構を意味することができる。
【００５７】
接地端子通電機構１２及び高電圧印加端子通電機構１４の少なくとも一方は、高電圧発生器８が連結された連結端子１２２，１４２と、静電噴霧カプセル４の装着時に端子４６，４８と接触する接触部材１２４，１４４と、接触部材１２４，１４４と接触し、接触部材１２４，１４４を端子４６，４８の方向に弾持する弾性部材１２６，１４６とを備えることができる。
【００５８】
接地端子通電機構１２及び高電圧印加端子通電機構１４が両方とも弾性通電機構である場合、接地端子通電機構１２は、高電圧発生器８が連結された連結端子１２２と、静電噴霧カプセル４の装着時に接地端子４６と接触する接触部材１２４と、接触部材１２４と接触して接触部材１２４を接地端子４６の方向に弾持する弾性部材１２６とを備えることができる。そして、高電圧印加端子通電機構１４は、高電圧発生器８が連結された連結端子１４２と、静電噴霧カプセル４の装着時に高電圧印加端子４８と接触する接触部材１４４と、接触部材１４４と接触し、接触部材１４４を高電圧印加端子４８の方向に弾持する弾性部材１４６とを備えることができる。
【００５９】
接地端子通電機構１２及び高電圧印加端子通電機構１４のうち、接地端子通電機構１２が弾性通電機構であり、高電圧印加端子通電機構１４が非弾性通電機構である場合、接地端子通電機構１２は、高電圧発生器８が連結された連結端子１２２と、静電噴霧カプセル４の装着時に接地端子４６と接触する接触部材１２４と、接触部材１２４と接触して接触部材１２４を接地端子４６の方向に弾持する弾性部材１２６とを備えることができる。一方、高電圧印加端子通電機構１４は、高電圧発生器８が連結され、静電噴霧カプセル４の装着時に高電圧印加端子４８と接触する接触連結端子（図示せず）を備えることができる。
【００６０】
接地端子通電機構１２及び高電圧印加端子通電機構１４のうち、接地端子通電機構１２が非弾性通電機構であり、高電圧印加端子通電機構１４が弾性通電機構である場合、接地端子通電機構１２は、高電圧発生器８が連結され、静電噴霧カプセル４の装着時に接地端子４６と接触する接触連結端子（図示せず）を備えることができる。一方、高電圧印加端子通電機構１４は、高電圧発生器８が連結された連結端子１４２と、静電噴霧カプセル４の装着時に高電圧印加端子４８と接触する接触部材１４４と、接触部材１４４と接触し、接触部材１４４を高電圧印加端子４８の方向に弾持する弾性部材１４６とを備えることができる。
【００６１】
静電噴霧カプセルモジュール２は、静電噴霧カプセル４の装着時に静電噴霧カプセル４を弾性支持する弾性ホルダー１６をさらに備えることができる。弾性ホルダー１６は、静電噴霧カプセル４の装着時に弾性的に変形するとともに静電噴霧カプセル４の端子と接触し、静電噴霧カプセル４を弾性支持することができる。静電噴霧カプセル４は、弾性ホルダー１６と接触した状態で弾性ホルダー１６から加えられる力によって固定されてもよい。弾性ホルダー１６は、静電噴霧カプセルホルダー６に設けられたバネ１６２と、バネ１６２に支持され、静電噴霧カプセル４の装着時に静電噴霧カプセル４と接触するボール１６４とを有することができる。弾性ホルダー１６のボール１５４は接地端子通電機構１２の接触部材１２６と向かい合うように配置されてもよい。弾性ホルダー１６のボール１６４は静電噴霧カプセル４の接地端子４４と接触し得る位置に配置されてもよい。
【００６２】
接地端子通電機構１２、高電圧印加端子通電機構１４及び弾性ホルダー１６は、静電噴霧カプセルホルダー６において離隔した箇所にそれぞれ配置され、静電噴霧カプセル４をそれぞれ異なる方向に加圧して静電噴霧カプセル４を固定することができる。
【００６３】
以下、接地端子通電機構１２及び高電圧印加端子通電機構１４の両方が弾性通電機構である例を挙げて説明する。
【００６４】
接地端子通電機構１２は、高電圧発生器８が連結された連結端子１２２と、静電噴霧カプセル４の装着時に接地端子４６と接触する接触部材１２４と、接触部材１２４と接触し、接触部材１２４を接地端子４６の方向に弾持する弾性部材１２６とを備えることができる。
【００６５】
高電圧印加端子通電機構１４は、高電圧発生器８が連結された連結端子１４２と、静電噴霧カプセル４の装着時に高電圧印加端子４８と接触する接触部材１４４と、接触部材１４４と接触し、接触部材１４４を高電圧印加端子４８の方向に弾持する弾性部材１４６とを備えることができる。
【００６６】
接地端子通電機構１２の接触部材１２４及び高電圧印加端子通電機構１４の接触部材１４４のいずれか一方は、弾性ホルダー１６のボール１６４と向かい合うように配置されてもよい。接地端子通電機構１２及び高電圧印加端子通電機構１４のいずれか一方と弾性ホルダー１６は、静電噴霧カプセル４を互いに反対の方向に加圧することができ、静電噴霧カプセル４を接地端子通電機構１２及び高電圧印加端子通電機構１４のいずれか一方と弾性ホルダー１６との間で安定して固定することができる。
【００６７】
静電噴霧カプセルホルダー６は、高電圧印加端子通電機構１４が設けられている下板６２と、下板６２に形成され、接地端子通電機構１２が配置されている第１壁６４と、下板６２に第１壁６４と向かい合うように配置され、弾性ホルダー１６が配置された第２壁６６とを備えることができる。
【００６８】
下板６２には、静電噴霧カプセル４の下部が挿入されて収容され得る収容溝６８を形成することができる。下板６２には、高電圧印加端子通電機構１４の接触部材１４４が突出して位置し得る空間部７０を収容溝６８と段差をつけて形成することができる。
【００６９】
下板６２には、高電圧印加端子通電機構１４の弾性部材１４６が収容され得る弾性部材収容溝７５を形成することができ、高電圧印加端子通電機構１４の接触部材１４４は弾性部材収容溝７５に少なくとも一部が収容され得る。
【００７０】
図８及び図９を参照すると、高電圧印加端子通電機構１４の連結端子１４２は、一端１４２Ａが静電噴霧カプセルホルダー６の外部に位置して高電圧発生器８とリードワイヤーで連結されるようになっている。高電圧印加端子通電機構１４の連結端子１４２は、他端１４２Ｂが静電噴霧カプセルホルダー６に位置している。高電圧印加端子通電機構１４の連結端子１４２は、他端１４２Ｂが弾性部材収容溝７５に位置しており、他端１４２Ｂが高電圧印加端子通電機構１４の接触部材１４４及び高電圧印加端子通電機構１４の弾性部材１４６のいずれか一方と接触することができる。高電圧印加端子通電機構１４の連結端子１４２は少なくとも１回折り曲がり、一端１４２Ａと他端１４２Ｂとが高さの差を有することができる。高電圧印加端子通電機構１４の連結端子１４２は、板体状に形成することができ、静電噴霧カプセルホルダー６に水平に配置することができる。高電圧印加端子通電機構１４の連結端子１４２は、一端１４２Ａが下板６２の外部に向かっており、他端１４２Ｂが空間部７０に向かっている。
【００７１】
高電圧印加端子通電機構１４の接触部材１４４は、静電噴霧カプセル４の装着時に高電圧印加端子４８と接触し、静電噴霧カプセル４の分離時に高電圧印加端子４８と非接触するものであり、静電噴霧カプセルホルダー６に移動可能に配置されている。高電圧印加端子通電機構１４の接触部材１４４は、球形又は多角形に形成され、静電噴霧カプセル４の装着時に高電圧印加端子４８が滑りながら接触することができる。高電圧印加端子通電機構１４の接触部材１４４は、静電噴霧カプセル４の装着時に高電圧印加端子４８によって押されながら高電圧印加端子通電機構１４の弾性部材１４６の方向に移動し、高電圧印加端子通電機構１４の弾性部材１４６を弾性変形させながら弾性部材収容溝７５に挿入され得る。高電圧印加端子通電機構１４の接触部材１４４は、静電噴霧カプセル４の分離時に高電圧印加端子通電機構１４の弾性部材１４６によって高電圧印加端子通電機構１４の弾性部材１４６の反対方向に移動し、一部が空間部７０に突出して位置してもよい。
【００７２】
高電圧印加端子通電機構１４の弾性部材１４６は、弾性部材収容溝７５に収容された状態で接地端子高電圧印加端子通電機構１４の接触部材１４４によって弾性変形されてもよく、復原力によって高電圧印加端子通電機構１４の接触部材１４４を移動させることができる。高電圧印加端子通電機構１４の弾性部材１４６は、コイルバネ又は板バネなどの様々なバネで構成することができる。
【００７３】
静電噴霧カプセル４は、外周を丸く形成することができる。静電噴霧カプセルホルダー６は、静電噴霧カプセル４と向かい合う面７２，７４を、静電噴霧カプセル４の外周と同様に、丸く形成することができる。静電噴霧カプセルホルダー６は、接地端子通電機構１２の弾性部材１２６が収容され得る弾性部材収容溝７６が形成されており、接地端子通電機構１２の接触部材１２４は弾性部材収容溝７６に少なくとも一部が収容されている。
【００７４】
図６及び図７を参照すると、接地端子通電機構１２の連結端子１２２は、一端１２２Ａが静電噴霧カプセルホルダー６の外部に位置して高電圧発生器８とリードワイヤーで連結されるようになっている。接地端子通電機構１２の連結端子１２２は、他端１２２Ｂが静電噴霧カプセルホルダー６に位置している。接地端子通電機構１２の連結端子１２２は、他端１２２Ｂが弾性部材収容溝７６に位置し、他端１２２Ｂが接地端子通電機構１２の接触部材１２４及び接地端子通電機構１２の弾性部材１２６のいずれか一方と接触できるようになっている。接地端子通電機構１２の連結端子１２２は、少なくとも１回折り曲がった形状であって、一端１２２Ａと他端１２２Ｂとの高さの差を有することができる。接地端子通電機構１２の連結端子１２２は、一端１２２Ａが静電噴霧カプセルホルダー６の上部に水平に位置し、他端１２２Ｂが静電噴霧カプセルホルダー６の下部に水平に位置している。接地端子通電機構１２の連結端子１２２は、一端１２２Ａと他端１２２Ｂの配置方向が互いに異なっている。接地端子通電機構１２の連結端子１２２は、一端１２２Ａが静電噴霧カプセルホルダー６の外部に向かっており、他端１２２Ｂが静電噴霧カプセルホルダー６の内部に向かっている。
【００７５】
接地端子通電機構１２の接触部材１２４は、静電噴霧カプセル４の装着時に接地端子４６と接触し、静電噴霧カプセル４の分離時に接地端子４６と非接触するものであり、静電噴霧カプセルホルダー６に移動可能に配置されている。接地端子通電機構１２の接触部材１２４は球形又は多角形に形成され、静電噴霧カプセル４の装着時に接地端子４６が滑りながら接触することができる。接地端子通電機構１２の接触部材１２４は、静電噴霧カプセル４の装着時に接地端子４６によって押されながら接地端子通電機構１２の弾性部材１２６の方向に移動し、接地端子通電機構１２の弾性部材１２６を弾性変形させながら弾性部材収容溝７６に挿入され得る。接地端子通電機構１２の接触部材１２４は、静電噴霧カプセル４の分離時に、接地端子通電機構１２の弾性部材１２６によって接地端子通電機構１２の弾性部材１２６の反対方向に移動し、一部が空間部７０に突出して位置してもよい。
【００７６】
接地端子通電機構１２の弾性部材１２６は、弾性部材収容溝７６に収容された状態で接地端子通電機構１２の接触部材１２４によって弾性変形され、復原力によって接地端子通電機構１２の接触部材１２４を移動させることができる。接地端子通電機構１２の弾性部材１２６は、コイルバネ又は板バネなどの様々なバネで構成することができる。
【００７７】
静電噴霧カプセルホルダー６は、弾性ホルダー１６のバネ１６２が収容され得るバネ収容溝７８が形成されており、弾性ホルダー１６のボール１６４は、バネ収容溝７８に少なくとも一部が収容されている。
【００７８】
弾性ホルダー１６のバネ１６２は、バネ収容溝７８に収容された状態で弾性ホルダー１６のボール１６４によって弾性変形され、復原力によって弾性ホルダー１６のボール１６４を移動させることができる。弾性ホルダー１６のバネ１６２は、コイルバネ又は板バネなどの様々なバネで構成することができる。
【００７９】
弾性ホルダー１６のボール１６４は、静電噴霧カプセル４の装着時に接地端子４６と接触し、静電噴霧カプセル４の分離時に接地端子４６と非接触するものであり、静電噴霧カプセルホルダー６に移動可能に配置されている。弾性ホルダー１６のボール１６４は球形又は多角形に形成され、静電噴霧カプセル４の装着時に接地端子４６が滑りながら接触することができる。弾性ホルダー１６のボール１６４は、静電噴霧カプセル４の装着時に接地端子４６によって押されながら弾性ホルダー１６のバネ１６２の方向に移動し、弾性ホルダー１６のバネ１６２を弾性変形させながらバネ収容溝７８に挿入され得る。弾性ホルダー１６のボール１６４は、静電噴霧カプセル４の分離時に、弾性ホルダー１６のバネ１６２によって弾性ホルダー１６のバネ１６２の反対方向に移動し、静電噴霧カプセルホルダー６に突出して位置してもよい。
【００８０】
接地端子通電機構１２の接触部材１２４と高電圧印加端子通電機構１４の接触部材１４４は、異なる設置高さを有することができる。接地端子通電機構１２の接触部材１２４と高電圧印加端子通電機構１４の接触部材１４４は、静電噴霧カプセル４の異なる高さの箇所を共に加圧することができる。
【００８１】
接地端子通電機構１２の連結端子１２２及び高電圧印加端子通電機構１４の連結端子１４２は、静電噴霧カプセルホルダー６に互いに異なる方向に突出するようになっている。
【００８２】
図１０は、本発明に係る静電噴霧モジュールが設置された空気調和機の一実施例を示す正面図であり、図１１は、本発明に係る静電噴霧モジュールが設置された空気調和機の一実施例を示す断面図であり、図１２は、本発明に係る静電噴霧モジュールが設置された空気調和機の一実施例から静電噴霧カプセルを分離したときの断面図である。
【００８３】
静電噴霧モジュールが設置された空気調和機は、空気吸入部２００及び空気吐出部２１０が形成され、空気吸入部２００と空気吐出部２１０との間に送風流路２２０が形成された本体２３０と、送風流路２２０に設置された熱交換器２４０と、空気を空気吸入部２００から吸入して熱交換器２４０を通過させた後、空気吐出部２１０から吐き出させる送風器２５０とを備えており、静電噴霧モジュール２は本体２３０に設置されている。
【００８４】
空気吸入部２００は、空気吸入口２０２が形成された吸入ボディー２０４を備えている。空気吸入部２００は、空気吸入口２０２から吸入した空気を浄化するフィルター２０６をさらに備えることができる。空気吸入部２００は、フィルター２０６が装着されるフィルターフレーム２０８をさらに備えることができる。フィルターフレーム２０８は吸入ボディー２０４に着脱されてもよい。
【００８５】
空気吐出部２１０は、本体２３０に単数個が設けられてもよく、複数個が設けられてもよい。空気吐出部２１０は、位置固定された状態で室内に空気を吐き出す吐出ボディー２１２を備えている。空気吐出部２１０は、移動可能に配置されたムービングボディー２１４をさらに備えることができる。
【００８６】
本体２３０は、吸入ボディー２０４を支持するベース２３１を備えている。本体２３０は、送風器２５０が装着され、熱交換器２４０を通過した空気を案内するエアーガイド２３２をさらに備えることができる。本体２３０は、エアーガイド２３２の前方に配置されるフロントパネル２３３をさらに備えることができる。
【００８７】
吐出ボディー２１２は、室内に空気を吐き出す空気吐出空間２１６が開放されている。吐出ボディー２１２は、送風器２５０から送風された空気が流入する空気流入面を有することができる。吐出ボディー２１２は、空気吐出空間２１６に流入した空気と静電噴霧モジュール２から噴霧されたミストＭとが共に吐き出される吐出面を有することができる。吐出ボディー２１２の空気吐出空間２１６は、ユーザの手が出入可能な大きさにすることができる。空気吐出空間２１６は、前面が開放されており、熱交換器２４０で熱交換された空気と静電噴霧モジュール２から噴霧されたミストＭとが吐出ボディー２１２の前方に共に吐き出され得る。吐出ボディー２１２は、静電噴霧モジュール２が収容されるモジュール収容部２１８を有することができる。モジュール収容部２１８は、静電噴霧モジュール２の全部を収容してもよく、静電噴霧モジュール２の一部を収容してもよい。
【００８８】
ムービングボディー２１４は、空気が吐き出される吐出通路２１５を有することができる。ムービングボディー２１４は、吸入ボディー２０４とエアーガイド２３２との間に下降したり、吸入ボディー２０４とエアーガイド２３２との間から上側に上昇することができる。
【００８９】
熱交換器２４０は、空気吸入部２００と空気吐出部２１０との間に配置され、空気吸入部２００から吸入した空気を冷媒と熱交換させることができる。
【００９０】
送風器２５０は熱交換器２４０と向かい合うように設置されてもよい。送風器２５０は、モーターなどの駆動源と、駆動源によって回転するブロワーを備えることができる。
【００９１】
静電噴霧モジュール２は、吐出ボディー２１２及びムービングボディー２１４の少なくとも一方に設置されてもよく、静電噴霧カプセル４から噴霧されたミストＭは、送風器２５０から送風された空気と共に遠距離まで吐き出されることが可能である。静電噴霧モジュール２は、静電噴霧カプセル４そのものが交換されたり、静電噴霧カプセル４に含まれた機能性物質が交換される構造とすることができ、静電噴霧モジュール２は空気調和機を分解せずに静電噴霧カプセル４を便利に着脱可能な箇所に設置されることが好ましい。静電噴霧モジュール２は、吐出ボディー２１２とムービングボディー２１４のうち、静電噴霧カプセル４のサービスが容易な箇所に設置されることが好ましい。
【００９２】
静電噴霧モジュール２は、吐出ボディー２１２に設置され、空気吐出空間２１６に機能性物質を噴霧することができる。静電噴霧カプセル４は、空気吐出空間２１６を通って静電噴霧モジュール２の出入口１０２に出入りすることができる。
【００９３】
以下、上記のように構成された、静電噴霧モジュールが設置された空気調和機の作用について説明する。
【００９４】
空気調和機の運転時に、高電圧発生器８は通電機構１２，１４に高電圧を印加することができ、送風器２５０は駆動されてもよい。
【００９５】
高電圧発生器８で発生した高電圧は、通電機構１２，１４を介して静電噴霧カプセル４に印加され、静電噴霧カプセル４は、その内部に形成された電場によってミストＭを噴霧することができる。静電噴霧カプセル４から噴霧されたミストＭは、ハウジング１０の出入口１０２を通過して吐出ボディー２１４の空気吐出空間２１６に流動することができる。
【００９６】
送風器２５０の駆動時に、室内の空気は空気吸入部２００を通過して熱交換器２４０に流動し、熱交換器２４０を通過することができる。熱交換器２４０を通過した空気は、送風器２５０によって空気吐出空間２１６に流動することができる。空気吐出空間２１６に流動した空気は、空気吐出空間２１６に存在するミストＭと混合されてもよく、空気吐出空間２１６の前方に吐き出される。空気吐出空間２１６でミストＭと混合された空気は室内に広がりつつ、微粒化された機能性物質を室内に拡散させることができる。
【００９７】
一方、ユーザは、本体２３０から室内に広がる機能性物質Ａの交換や機能性物質Ａの追加投入を希望してもよい。ユーザは、本体２３０に設定されている静電噴霧カプセル４を、ハウジング１０の出入口１０２及び空気吐出空間２１６を順に通過させて本体２３０の外部に取り出すことができる。ユーザは、既存と異なる機能性物質が入っており、既存に空気調和機に設置されていた静電噴霧カプセル４と同じ構造を有する他の静電噴霧カプセルを空気吐出空間２１６に挿入し、空気吐出空間２１６からハウジング１０の出入口１０２を通過して静電噴霧カプセルホルダー６に装着することができる。ユーザは、既存に空気調和機に設置されていた静電噴霧カプセル４に機能性物質を追加して空気吐出空間２１６に挿入し、空気吐出空間２１６からハウジング１０の出入口１０２を通過して静電噴霧カプセルホルダー６に装着してもよい。静電噴霧カプセル４は静電噴霧カプセルホルダー６に装着される時、通電機構１２，１４及び弾性ホルダー１６と接触しながら弾性的に固定され得る。静電噴霧カプセル４は、端子４６，４８が通電機構１２，１４と接触して高電圧発生器８と電気的に連結されてもよい。
【図１】
0006437556.tif 000002
【図２】
0006437556.tif 000003
【図３】
0006437556.tif 000004
【図４】
0006437556.tif 000005
【図５】
0006437556.tif 000006
【図６】
0006437556.tif 000007
【図７】
0006437556.tif 000008
【図８】
0006437556.tif 000009
【図９】
0006437556.tif 000010
【図１０】
0006437556.tif 000011
【図１１】
0006437556.tif 000012
【図１２】
0006437556.tif 000013